(57)【要約】      （修正有）【課題】塗布体である筆にコシを持たせて、塗布時に筆が折れ曲がるのを防止する液状化粧料押出容器を提供する。【解決手段】扁平状をなす毛筆である塗布体１の一方の端が一定長露出するようにして収束部２が塗布体に装着され、収束部より一定長露出している塗布体の一方の端が露出するようにして先筒３に収容され、収束部の外周を先筒が備える把持部が把持し、液状化粧料Ｌを塗布体へ誘導するための誘導管４を備えていることを特徴としている。【選択図】図３
0003166719.tif 000002
【実用新案登録請求の範囲】
【請求項１】
液状化粧料を対象へ塗布するための塗布体と、
前記塗布体に装着される収束部と、
前記収束部を把持するための把持部を有する先筒と、
前記液状化粧料を前記塗布体へ誘導するための誘導管と、
を具備する容器前部と、
前記液状化粧料を収容する収容部を有する本体筒と、
前記本体筒と係合可能な操作部と、
前記本体筒と前記操作部の内部に設けられ、該操作部を操作することによって前記液状化粧料を前記容器前部へ押し出すことが可能な押出機構と、
を具備する容器後部と、
を備える液状化粧料押出容器であって、
前記塗布体は、扁平状をなす毛筆であり、該塗布体の一方の端が一定長露出するようにして前記収束部が該塗布体に装着されており、
また、前記先筒は少なくとも前記収束部より一定長露出している前記塗布体の一方の端が露出するようにして、該収束部の外周を前記把持部により把持することを特徴とする液状化粧料押出容器。
【請求項２】
前記誘導管は長方形形状又は楕円形形状又は丸形状をしていることを特徴とする請求項１に記載の液状化粧料押出容器。
【考案の詳細な説明】
【技術分野】
【０００１】
本考案は、毛筆を使用した塗布体に液状の化粧料を繰出して使用する液状化粧料押出容器に関する。
【背景技術】
【０００２】
従来の繰出式ブラシペンにおける筆にはコシがなく、塗布時に筆が折れ曲がるなどして使い勝手が悪かった。
下記特許文献１には塗布体の毛束の外周に前側係合部材を装着することで液体塗布具の先軸への装着時に塗布体の毛が折れ曲がることを防止する技術が開示されている。
【先行技術文献】
【特許文献】
【０００３】
【特許文献１】特開２０００−２７９８７３号公報
【考案の概要】
【考案が解決しようとする課題】
【０００４】
しかし、上述した特許文献１に記載の液体塗布具は、塗布体の装着時に毛が折れ曲がるのを防止するための技術であり、塗布体にコシを持たせて塗布時に筆が折れ曲がるのを防止するものではない。
そこで、塗布時に筆コシを持たせ、描画しやすい筆とする液状化粧料押出容器を提供することを目的とする。
【課題を解決するための手段】
【０００５】
本考案の液体化粧料押出容器としては、  液状化粧料を対象へ塗布するための塗布体と、塗布体に装着される収束部と、収束部を把持するための把持部を有する先筒と、液状化粧料を塗布体へ誘導するための誘導管と、を具備する容器前部と、液状化粧料を収容する収容部を有する本体筒と、本体筒と係合可能な操作部と、本体筒と操作部の内部に設けられ、操作部を操作することによって液状化粧料を容器前部へ押し出すことが可能な押出機構と、を具備する容器後部と、を備える液状化粧料押出容器であって、塗布体は、扁平状をなす毛筆であり、塗布体の一方の端が一定長露出するようにして収束部が塗布体に装着されており、また、先筒は少なくとも収束部より一定長露出している塗布体の一方の端が露出するようにして、収束部の外周を把持部により把持することを特徴としている。
【０００６】
また、誘導管は、長方形形状又は楕円形形状又は丸形状をしていることを特徴としている。
【０００７】
本考案をこのような構成とすることで、毛筆である塗布体にコシを持たることが可能となると共に収束部をカシメる必要のない液状化粧料押出容器とすることが出来る。
【考案の効果】
【０００８】
塗布部に収束部を装着することで、塗布部を形成する毛筆にコシを持たせることが可能であり、塗布時に毛筆が不意に折れ曲がることを防止することが出来る。
また、収束部の外周を先筒の把持部で把持することにより、塗布部に収束部を装着した際に収束部をカシメる必要がなく、製造工程を簡略化することができる。
【図面の簡単な説明】
【０００９】
【図１】本考案の実施例に係る液状化粧料押出容器の外観正面図である
【図２】実施例の液状化粧料押出容器の外観平面図である
【図３】実施例に係る液状化粧料押出容器正面の縦断面図である
【図４】実施例に係る液状化粧料押出容器平面の縦断面図である
【図５】実施例に係る液状化粧料押出容器の容器前部の分解斜視図である
【図６】実施例に係る液状化粧料押出容器の容器前部平面の縦断面図である
【図７】実施例の塗布体に収束部が装着されているときの斜視図である
【図８】実施例に係る液状化粧料押出容器を軸線方向視前側からみたときの図である
【考案を実施するための形態】
【００１０】
以下、添付図面を参照して、本考案の実施形態について詳細に説明する。なお、同一又は相当要素には同一符号を付して重複する説明は省略する。
【００１１】
図１及び図２は液状化粧料押出容器の外観全体図、図３及び図４は液状化粧料押出容器の縦断面図、図５は液状化粧料押出容器の容器前部の分解斜視図、図６は容器前部の縦断面図、図７は塗布体に収束部が装着されているときの斜視図、図８は液状化粧料押出容器を塗布体側軸線方向から見たときの図であり、本考案の液状化粧料押出容器は、例えばリップグロスやコンシーラー、マニキュア等の液状化粧料を使用した化粧品に主に用いられ、使用者が必要に応じて適宜化粧料を繰り出し可能とするものである。
【００１２】
液状化粧料押出容器１００は、図１乃至図４に示すように、容器前部１４と容器後部１５からなり、容器前部１４は容器後部１５の先端側に装着される。
容器後部１５には、液状化粧料Ｌを収容する収容部８を内部に備えた本体筒６と、この本体筒６の後端部に周方向回転可能に装着される操作部７とが具備されており、この本体筒６と操作部７とを相対回転させると、本体筒６と操作部７の内部に備えられている押出機構１３としての螺合機構１０及び回り止め機構１１の作用に従い、移動体１２が前進又は後退し、移動体１２の先端のピストン９が容器後部１５の先端側（容器前部１４側）に向かって繰り出されることで、収容部８の液状化粧料Ｌも容器後部１５の先端側へ押し出されることになる。そして、このようにして押し出された液状化粧料Ｌは容器前部１４内の誘導管４へ進入し、この誘導管４を通り塗布体１に吐出されることで、液状化粧料押出容器１００を塗布可能な使用状態とすることができる。
【００１３】
なお、押出機構１３は、ラチェット機構を有し移動体１２及びピストン９の前進のみを許容する構成であってもよい。
【００１４】
容器前部１４は、図１乃至図６に示すように、毛筆である塗布体１と、この毛筆の塗布体１を収束するために塗布体１に装着される収束部２と、収束部２が装着された塗布体１を内部に収容可能であり、収束部２を把持する為の把持部３ａを内側に有する先筒３と、塗布体１の内部に挿入される誘導管４と、この誘導管４が挿入された状態で先筒３内部に軸線方向移動不能且つ周方向回転不能に収容されるホルダ部５と、から構成されている。
【００１５】
塗布体１は毛筆であり、図５又は図６に示すように、塗布体１の外観は対象へ液状化粧料Ｌを塗布する際に効率的に塗布出来る扁平状をしている。また、一方の端は例えば熱溶着で溶着した鍔状の溶着部１ａが形成され、塗布体１単体として毛筆がバラバラにならないようにしている。そして、塗布体１の内部には、誘導管４が挿入可能な構成とされている。
【００１６】
収束部２は、図５乃至図７に示すように、両端が開口している筒状になっており、軸線方向視では扁平形状となっている。そして、この収束部２は塗布体１の毛筆の毛を収束するようにして塗布体１の外周へ装着される。そのとき、収束部２の一方の端からは対象へ液状化粧料Ｌを塗布するための塗布体１の塗布部分が一定長露出し、また収束部２の他方の端からは溶着部１ａが露出するように塗布体１に装着される。
【００１７】
誘導管４は、図３乃至図６に示すように両端が開口した筒状で扁平状をしており軸線方向視で長方形形状をしている。そして、この誘導管４は上述したように塗布体１の内部へ挿入可能とされており、誘導管４の一方の端の先端が塗布体１の中程に位置するようにして塗布体１へ挿入される。また、誘導管４の他方の端はホルダ部５の挿入孔５ｂへ挿入が可能となっている。
【００１８】
この誘導管４は、容器後部１５から押し出されてくる液状化粧料Ｌを塗布体１へ誘導する役割を担っており、形状を扁平状の長方形形状とすることで液状化粧料Ｌを扁平状の塗布体１へ吐出するときに塗布体１の幅方向へ効率良く吐出することが出来る。また、誘導管４が、一方の端の先端が塗布体１の中程に位置するようにして塗布体１へ挿入されることで、誘導管４から吐出される液状化粧料Ｌが確実に塗布体１へ吐出されるようになっている。
【００１９】
なお、誘導管４の形状としては、効率良く扁平状の塗布体１へ液状化粧料Ｌを吐出する効果を奏する形状として長方形形状以外に楕円形形状でもよい。また、径方向からの衝撃に対して耐久性を向上させるために丸形状としてもよい。
【００２０】
ホルダ部５は、円柱状の外観を模しており、その外周には先筒３に設けられている嵌合孔３ｂと嵌合可能な突起５ａが形成されており、嵌合孔３ｂと突起５ａが嵌合することによってホルダ部５と先筒３が軸線方向移動不能且つ周方向回転不能に結合する。そして、ホルダ部５の内側には誘導管４が挿入される挿入孔５ｂが形成されている。
【００２１】
なお、本考案ではホルダ部５と先筒３を別体として説明していくが、これが一体で成形されていてもよく、また、誘導管４とホルダ部５が一体で成形されていてもよい。
【００２２】
先筒３は、図５、図６、図８に示すように、前部３ｃと後部３ｄからなる両端が開口した筒状をなし、前部３ｃの内部に収束部２が装着され内側に誘導管４が挿入された塗布体１を収容可能とすると共に後部３ｄの内部に誘導管４が挿入されたホルダ部５を収容可能としている。
【００２３】
この先筒３の前部３ｃの内側の形状は、収束部２と略相似形状をなし且つ収束部２を把持する為の複数の把持部３ａが備えられており、収束部２が装着されている塗布体１を収容する際には圧入して収容するようにし、少なくとも収容部２の端から一定長露出している塗布体１の毛筆が先筒３の先端より露出するように収容する。
また、後部３ｄにはホルダ部５に設けられる突起５ａと嵌合可能な嵌合孔３ｂが設けられており、この突起５ａと嵌合孔３ｂとが嵌合することにより、ホルダ部５は先筒３に軸線方向移動不能且つ周方向回転不能に結合し収容される。さらに、後部３ｄの外周には本体筒６と軸線方向移動不能に結合するように凹凸部が設けられている。
【００２４】
上記した先筒３の複数の把持部３ａを備えることで、前部３ｃ内部に、収束部２が装着された塗布体１が圧入される際、収束部２と塗布体１とを密着状態とさせて塗布体１から収束部２を抜けづらくさせると共に塗布体１の毛筆にコシを持たせることが可能となる。
【００２５】
塗布体１の毛筆にコシを持たせる方法としては、塗布体１に収束部２を装着した際に収束部２をカシメることで毛筆にコシを持たせることが可能であるが、本考案の場合は、把持部３ａを備える先筒３へ収容部２が装着された塗布体１を圧入することで、把持部３ａにより収容部２をカシメる効果と同等の効果を得るものである。つまり、本考案では、収束部２をカシメる工程を経ずとも、先筒３へ収容部２を装着した塗布体１を収容する作業のみで塗布体１の毛筆にコシを持たせることが可能となるものである。
【００２６】
なお、本考案では、先筒３は図８に示すようにその内側の上下に２個ずつ、左右に１個ずつの計６個の把持部３ａを備えているが、塗布体１の毛筆にコシを持たせる効果を奏することができれば、把持部３ａの数や設置される位置は特に限定しない。
【００２７】
上記のような構成の液状化粧料押出容器１００では、容器後部１５の本体筒６と操作部７を相対回転させることで押出機構１３の作用により容器後部１５の先端側に押し出された収容部８内の液状化粧料Ｌがホルダ部５の挿入孔５ｂに挿入されている誘導管４の内部を通って塗布体１へ吐出され、この塗布体１をもって対象へ液状化粧料Ｌを塗布することを可能としている。
【００２８】
そして、この容器前部１４の先筒３の後端が容器後部１５の前端と結合することで、容器前部１４が容器後部１５に装着されるものである。
【００２９】
本考案の液状化粧料押出容器１００は、毛筆である塗布体１に収束部２を装着することで塗布体１の毛を収束して毛筆にコシを持たせることで、塗布時に不意に塗布体１が折れ曲がって塗布しづらくなるという不具合を防止することが可能となる。
さらに、先筒３に把持部３ａを備えることで、塗布体１に装着した収束部２をカシメる必要がなく、塗布体１と収束部２を先筒３の前部３ｃへ圧入することで、把持部３ａにより収束部２をカシメたのと同等の効果を得ることが可能となるので、収束部２をわざわざカシメる工程を省くことができ、作業工程の効率化を図ることが出来る。
【００３０】
以上、本考案をその実施形態に基づき具体的に説明したが、本考案は上記実施形態に限定されるものではなく、例えば、先筒３と本体筒６とを軸線方向移動不能且つ周方向回転不能に結合させることも可能であり、このような構成とすることで、先筒３と操作部７とを相対回転させることで押出機構１３を作用させて液状化粧料Ｌを塗布体１へ吐出させることが可能となる。
【００３１】
また、押出機構１３を作用させる際、本体筒６又は先筒３と操作部７を相対回転させるのではなく、操作部７をノック式にして、操作部７を押圧することで押出機構１３を作用させるようにしてもよい。
【００３２】
また、液状化粧料押出容器１００は、塗布体１を乾燥から保護する為に、図示は省略したが、容器前部１４を覆うようにキャップを備えるようにしてもよい。
【符号の説明】
【００３３】
１  塗布体、１ａ  溶着部、２  収束部、  ３  先筒  、３ａ  把持部、３ｂ  嵌合孔、３ｃ  前部、３ｂ  後部、４  誘導管、５  ホルダ部、５ａ  突起、６本体筒、７  操作部、８  収容部、９  ピストン、１０  螺合機構、１１  回り止め機構、１２  移動体、１３（９，１０，１１，１２）  押出機構、１４  容器前部、１５  容器後部、１００  液状化粧料押出容器、Ｌ  液状化粧料
【図１】
0003166719.tif 000003
【図２】
0003166719.tif 000004
【図３】
0003166719.tif 000005
【図４】
0003166719.tif 000006
【図５】
0003166719.tif 000007
【図６】
0003166719.tif 000008
【図７】
0003166719.tif 000009
【図８】
0003166719.tif 000010